(57)【特許請求の範囲】
【請求項１】
下シートと上シートとが重ね合わされて互いに接着され、前記上シートに、前記下シートから剥離可能となる剥離領域が一方向に複数並んで区画形成され、前記複数の剥離領域のそれぞれが１つの角部を剥離開始端として前記下シートから剥離されるシート体であって、
前記複数の剥離領域のそれぞれは、少なくとも、
前記下シートとの間にて当該剥離領域の前記剥離開始端の両側端辺に並行して設けられた第１の接着部と、
前記下シートとの間にて当該剥離領域の前記剥離開始端の両側端辺に対向する端辺に並行して設けられ、前記第１の接着部よりも接着力が弱い第２の接着部と、
によって前記下シートに接着され、
前記複数の剥離領域のうち、当該剥離領域の一端辺が前記上シートの前記複数の剥離領域の並び方向における外周辺に重なる端部剥離領域のみは、当該一端辺に並行する領域に、前記第２の接着部の代わりに該第２の接着部よりも接着力が強い第３の接着部が設けられている、シート体。
【請求項２】
請求項１に記載のシート体において、
前記第２の接着部は、前記第１の接着部よりも幅が狭いことで、前記第１の接着部よりも接着力が弱く、
前記第３の接着部は、前記第１の接着部と同一の幅を有することで、前記第２の接着部よりも接着力が強い、シート体。
【請求項３】
請求項１または請求項２に記載のシート体において、
前記シート体は、領収証と、配達票と、貼付票とを有し、
前記端部剥離領域が、前記領収証であり、
該端部剥離領域に隣接する剥離領域が、前記配達票である、シート体。
【発明の詳細な説明】
【技術分野】
【０００１】
本発明は、上シートと下シートとが重ね合わされて互いに接着されてなるシート体に関し、特に、上シートに、下シートから剥離可能となる剥離領域が一方向に複数並んで区画形成された構成において、剥離領域を下シートから剥離した際にカールしにくくしながらも、複数の剥離領域の並び方向に搬送されながら印字等の加工が行われる場合に、剥離領域が下シートから不用意に剥離してしまうことを回避する技術に関する。
【背景技術】
【０００２】
従来、配送物を配送する場合、配送物の配送元及び配送先の住所や氏名あるいは名称等の配送情報が記入された配送伝票が用いられ、配送情報が記入された配送伝票が配送物に貼付され、配送伝票に記入された配送情報に従って配送物が配送先に配送されている。このような配送伝票においては、配送物が配送先に配送された後に配送業者が持ち帰る配達票が分離可能に構成されたものが用いられている。この配送伝票を用いた場合、配送物が配送先に配送されると、配達票に受領印が押下され、配達票が配送伝票から分離されて配送業者によって持ち帰られることにより、配送物が配送先に配送されたことが管理される。
【０００３】
上述したように配達票を分離して持ち帰ることができる配送伝票としては、一方の面に粘着剤が塗工された下シートの他方の面に、配達票と貼付票とが分離可能に並んで配置された上シートが接着され、配達票のみが下シートから剥離可能となったものが一般に利用されている。
【０００４】
このように、配達票を下シートから剥離可能とするために、例えば、配達票の１つの角部を剥離開始端とし、配達票の剥離開始端の両側端辺に沿って接着力が弱い第１の接着部を設けるとともに、第１の接着部の内側に沿う領域と、剥離開始端の両側端辺に対向する端辺に沿って接着力が第１の接着力よりも強い第２の接着部を設け、さらに、第２の接着部においては、第１の接着部の内側に沿う領域が他の領域よりも幅が広い配送伝票が、例えば、特許文献１に開示されている。この配送伝票においては、配達票の剥離開始端の両側端辺に沿って接着力が弱い第１の接着部が設けられていることにより、配達票を剥離開始端からスムーズに剥離することができる。また、第２の接着部のうち、剥離開始端の両側端辺に対向する端辺に沿う領域が、第１の接着部の内側に沿う領域よりも幅が狭いことにより、第２の接着部による剥離領域と下シートとの接着力が、剥離開始端側よりも剥離終了端側の方が小さくなり、それにより、剥離開始端から剥離領域を剥離していった際、剥離領域が下シートから剥離される剥離部分にかかる負荷が小さくなっていき、剥離領域が下シートから剥離した後にカールしにくくすることができる。
【先行技術文献】
【特許文献】
【０００５】
【特許文献１】特開２０１４−１７７０３６号公報
【発明の概要】
【発明が解決しようとする課題】
【０００６】
ところで、上述したように上シートと下シートとが接着され、上シートの一部が配達票のような剥離領域となって下シートから剥離されるシート体においては、複数の剥離領域が一方向に並んで区画形成されるものがあり、その場合、複数の剥離領域の並び方向に搬送されながら印字等の加工が行われることがある。
【０００７】
例えば、上シートと下シートとが接着され、上シートに、配達票と貼付票とがそれぞれ剥離領域となって一方向に並んで区画形成されており、下シートの上シートとの接着面とは反対側の面に剥離紙が剥離可能に接着された状態で、配達票と貼付票の並び方向に搬送されながら、配送情報が配達票と貼付票に印字される場合がある。
【０００８】
その場合、上述したように、第２の接着部のうち、剥離開始端の両側端辺に対向する端辺に沿う領域が、第１の接着部の内側に沿う領域よりも幅が狭くなっていると、その端辺が先端となるように搬送されながら配送情報が配達票と貼付票に印字される場合、上シートと下シートとがその端辺から不用意に剥離してしまう虞がある。特に、上シート及び下シートの配達票及び貼付票の周囲の領域が、いわゆるカス上げされることで、剥離紙が上シート及び下シートよりも一回り大きな形状である場合、その大きさの違いによって上シート及び下シートと剥離紙との端辺にて生じた段差がプリンタ内にてひっかかり、上シートと下シートとがその端辺から不用意に剥離してしまう可能性が高くなる。
【０００９】
本発明は、上述したような従来の技術が有する問題点に鑑みてなされたものであって、上シートと下シートとが重ね合わされて互いに接着され、上シートに、下シートから剥離可能となる剥離領域が一方向に複数並んで区画形成されてなるシート体において、剥離領域を下シートから剥離した際にカールしにくくしながらも、複数の剥離領域の並び方向に搬送されながら印字等の加工が行われる場合に、剥離領域が下シートから不用意に剥離してしまうことを回避できるシート体を提供することを目的とする。
【課題を解決するための手段】
【００１０】
上記目的を達成するために本発明は、
下シートと上シートとが重ね合わされて互いに接着され、前記上シートに、前記下シートから剥離可能となる剥離領域が一方向に複数並んで区画形成され、前記複数の剥離領域のそれぞれが１つの角部を剥離開始端として前記下シートから剥離されるシート体であって、
前記複数の剥離領域のそれぞれは、少なくとも、
前記下シートとの間にて当該剥離領域の前記剥離開始端の両側端辺に並行して設けられた第１の接着部と、
前記下シートとの間にて当該剥離領域の前記剥離開始端の両側端辺に対向する端辺に並行して設けられ、前記第１の接着部よりも接着力が弱い第２の接着部と、
によって前記下シートに接着され、
前記複数の剥離領域のうち、当該剥離領域の一端辺が前記上シートの前記複数の剥離領域の並び方向における外周辺に重なる端部剥離領域のみは、当該一端辺に並行する領域に、前記第２の接着部の代わりに該第２の接着部よりも接着力が強い第３の接着部が設けられている。
【００１１】
上記のように構成された本発明においては、剥離領域の剥離開始端の両側端辺に並行した領域が第１の接着部によって下シートと剥離可能に接着され、剥離領域の剥離開始端の両側端辺に対向する端辺に並行する領域が、第１の接着部よりも接着力が弱い第２の接着部によって接着されていることにより、剥離領域と下シートとの接着力が、剥離開始端側よりも剥離終了端側の方が小さくなり、それにより、剥離開始端から剥離領域を剥離していった際、剥離領域が下シートから剥離される剥離部分にかかる負荷が小さくなっていき、剥離領域が下シートから剥離した後にカールしにくくなり、一方、複数の剥離領域のうち、一端辺が上シートの複数の剥離領域の並び方向における外周辺に重なる端部剥離領域のその一端辺に並行する領域には、第２の接着部の代わりに第２の接着部よりも接着力が強い第３の接着部が設けられているので、端部剥離領域の端辺が先端となって搬送されながら印字等の加工が行われれば、上シートの先端側の端辺に並行する領域には、接着力が強い第２の接着部が存在し、それにより、剥離領域が下シートから不用意に剥離してしまうことが回避される。
【００１２】
また、第２の接着部が、第１の接着部よりも幅が狭いことで第１の接着部よりも接着力が弱いものにおいては、上シートと下シートとが接着された状態から、上シートと下シートとが断裁されることで複数の剥離領域が区画形成される場合、断裁位置がずれると、第２の接着部が並行した端辺においては、剥離領域の断裁位置となる端辺に接着部が存在しなくなる虞があるが、第３の接着部の幅を第１の接着部と同一の幅とすることで、断裁位置が多少ずれても、剥離領域の断裁位置となる端辺には第３の接着部が存在することになり、剥離領域が下シートから不用意に剥離してしまうことが回避される。
【００１３】
また、端部剥離領域においては、上シートの複数の剥離領域の並び方向における外周辺に重なる一端辺に並行する領域には、第２の接着部の代わりに第２の接着部よりも接着力が強い第３の接着部が設けられていることで、他の剥離領域と比べて下シートから剥離しにくく、また、剥離した後にカールしやすくなっているが、シート体が、領収証と、配達票と、貼付票とを有するものにおいては、配達票は、配送業者がその作業中に配達票を配送物から迅速に剥離する必要があるものの、領収証は、配送物の配送先にて配送物から迅速に剥離する必要がないため、端部剥離領域とすることで剥離しにくくなっても運用上差し支えない。また、領収証をゆっくり剥離することで、カールしにくくすることができる。
【発明の効果】
【００１４】
本発明によれば、剥離領域の剥離開始端の両側端辺に並行した領域が第１の接着部によって下シートと剥離可能に接着され、剥離領域の剥離開始端の両側端辺に対向する端辺に並行する領域が、第１の接着部よりも接着力が弱い第２の接着部によって接着されているため、剥離領域と下シートとの接着力が、剥離開始端側よりも剥離終了端側の方が小さくなり、それにより、剥離開始端から剥離領域を剥離していった際、剥離領域が下シートから剥離される剥離部分にかかる負荷が小さくなっていき、剥離領域が下シートから剥離した後にカールしにくくすることができる。また、上シートに一方向に並んで区画形成された複数の剥離領域のうち、一端辺が上シートの複数の剥離領域の並び方向における外周辺に重なる端部剥離領域においては、その一端辺に並行する領域には、第２の接着部の代わりに第２の接着部よりも接着力が強い第３の接着部が設けられているため、複数の剥離領域の並び方向に搬送されながら印字等の加工が行われる場合に、端部剥離領域の端辺が先端となって搬送されながら印字等の加工が行われることで、剥離領域が下シートから不用意に剥離してしまうことを回避できる。
【００１５】
また、第２の接着部が、第１の接着部よりも幅が狭いことで第１の接着部よりも接着力が弱いものにおいては、上シートと下シートとが接着された状態から、上シートと下シートとが断裁されることで剥離領域が区画形成される場合、断裁位置がずれると、第２の接着部が並行した端辺においては、剥離領域の断裁位置となる端辺に接着部が存在しなくなる虞があるが、第３の接着部の幅を第１の接着部と同一の幅とすることにより、断裁位置が多少ずれても、剥離領域の断裁位置となる端辺には第３の接着部が存在することになり、剥離領域が下シートから不用意に剥離してしまうことを回避できる。
【００１６】
また、シート体が、領収証と、配達票と、貼付票とを有するものにおいては、端部剥離領域が領収証であり、端部剥離領域に隣接する剥離領域が配達票であれば、迅速に剥離されることでカールが生じやすい配達票をカールしにくくしながらも上記効果を得ることができる。
【図面の簡単な説明】
【００１７】
【図１】本発明のシート体の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図２】図１に示した上シートの下シートとの接着面の構成を示す図である。
【図３】図１に示した下シートの上シートとの接着面の構成を示す図であり、（ａ）はメジウム層の積層領域を示す図、（ｂ）は接着部の構成を示す図である。
【図４】図３に示した接着部の構成を示す図である。
【図５】図３に示した接着部の詳細な形状を示す図である。
【図６】図１に示した配送伝票にプリンタにて配送情報が印字される際の作用を説明するための図である。
【図７】図１に示した配送伝票から配達票を分離する際の作用を説明するための図である。
【図８】図１に示した配送伝票から領収証を分離する際の作用を説明するための図である。
【発明を実施するための形態】
【００１８】
以下に、本発明の実施の形態について図面を参照して説明する。
【００１９】
図１は、本発明のシート体の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図２は、図１に示した上シート１０の下シート２０との接着面の構成を示す図である。図３は、図１に示した下シート２０の上シート１０との接着面の構成を示す図であり、（ａ）はメジウム層５０の積層領域を示す図、（ｂ）は接着部の構成を示す図である。図４は、図３に示した接着部２７の構成を示す図である。図５は、図３に示した接着部２１〜２９の詳細な形状を示す図であり、上シート１０及び下シート２０の外形並びにスリット１３ａ，１３ｂ及びジッパー部１３ｃの位置を破線で示す。
【００２０】
本形態は図１に示すように、角部に丸みを帯びた略長方形の上シート１０と下シート２０とが重ね合わされて接着され、下シート２０の上シート１０との接着面とは反対側の面に、上シート１０及び下シート２０よりも一回り大きな剥離紙３０が剥離可能に接着された配送伝票１である。なお、図１（ｄ）においては、配送伝票１の積層構造をわかりやすくするために便宜上厚みを帯びて図示しているが、配送伝票１は実際には、図１（ｂ），（ｃ）に示すように、横方向から見た場合に積層構造がわからないほどのものである。
【００２１】
上シート１０は、領収証１０ａと配達票１０ｂと貼付票１０ｃとが上シート１０の長手方向に並んで配置されて構成されている。このうち、領収証１０ａ及び配達票１０ｂが本発明における剥離領域となり、そのうち領収証１０ａが、配達票１０ｂとは反対側の一端辺が上シート１０の領収証１０ａ及び配達票１０ｂの並び方向における外周辺に重なることで、本発明における端部剥離領域となる。領収証１０ａと配達票１０ｂとは、上シート１０に形成されたスリット１３ａによって分離可能となっており、配達票１０ｂと貼付票１０ｃとは、上シート１０に形成されたスリット１３ｂ及びジッパー部１３ｃによって分離可能となっている。スリット１３ａ，１３ｂは、上シート１０の短手方向に延びている。ジッパー部１３ｃは、上シート１０の短手方向の一端辺の近傍に形成されており、上シート１０の短手方向に延びた辺部とその辺部の端部から配達票１０ｂ側に斜めに向かった辺部とからなる「へ」の字状のカット部と、タイ部とから構成されている。
【００２２】
領収証１０ａ、配達票１０ｂ及び貼付票１０ｃのそれぞれには、この配送伝票１が貼付される配送物の配送元や配送先の住所、氏名等からなる配送情報が印字される配送情報表示領域１１ａ〜１１ｃが設けられている。また、領収証１０ａには、配達票１０ｂ側の１つの角部に、領収証１０ａを下シート２０から剥離する際の剥離開始推奨端を示す剥離指示情報１４ａが表示されており、配達票１０ｂには、貼付票１０ｃ側であってジッパー部１３ｃが設けられた側の角部に、配達票１０ｂを下シート２０から剥離する際の剥離開始推奨端を示す剥離指示情報１４ｂが表示されている。また、配達票１０ｂには、受領印を押下するための押印領域１２ｂが設けられている。
【００２３】
上シート１０の下シート２０との接着面には、図２に示すように、上シート１０の長手方向両端の幅狭の部分を除いた領域に、紫外線硬化型等の一般的な剥離ニスが塗布されることによってニス層２０ａ，２０ｂが積層されている。ニス層２０ａは、領収証１０ａのうち上シート１０の長手方向の一端の幅狭の部分を除いた全面と、配達票１０ｂの全面と、貼付票１０ｃの配達票１０ｂに沿う幅狭の領域とに、剥離ニスがベタ印刷されることによって積層されている。ニス層２０ｂは、貼付票１０ｃのうち上シート１０の長手方向両端の幅狭の部分を除いた領域に、剥離ニスが５０％の濃度の網点スクリーン印刷が施されることによって積層されている。
【００２４】
下シート２０の上シート１０との接着面には、まず、図３（ａ）に示すように、貼付票１０ｃのニス層２０ｂが積層されていない領域に対向する領域を除いた全面と、領収証１０ａ及び配達票１０ｂに対向する領域の全面に、酸化チタン等を含有する一般的なメジウムによって構成されるメジウム層５０が積層されている。
【００２５】
そして、メジウム層５０が積層された下シート２０上に、図３（ｂ）に示すように接着部２１〜２８が設けられている。
【００２６】
接着部２１は、図３（ｂ）及び図５に示すように、上シート１０と下シート２０との間において、配達票１０ｂの外周に沿う領域と、領収証１０ａの外周のうち上シート１０の長手方向の一端に沿う領域を除く領域と、貼付票１０ｃの配達票１０ｂに沿う領域とに幅Ｗ1を有して設けられており、メジウム層５０が積層された下シート２０上に、擬似接着エマルジョン糊を用いた６５ｄｐｉの１５％の網点スクリーン印刷が施されることによって設けられている。幅Ｗ1としては、例えば、１．５ｍｍが考えられる。
【００２７】
接着部２２は、本発明における第１の接着部となるものであって、図３（ｂ）及び図５に示すように、上シート１０と下シート２０との間において、領収証１０ａ及び配達票１０ｂのそれぞれに対向する領域にて、剥離指示情報１４ａ，１４ｂによって示される剥離開始端の両側端辺に並行して接着部２１の内側に接着部２１に沿って幅Ｗ2を有して設けられており、メジウム層５０が積層された下シート２０上に、擬似接着エマルジョン糊を用いた６５ｄｐｉの５０％の網点スクリーン印刷が施されることによって設けられている。幅Ｗ2としては、例えば、５ｍｍが考えられる。
【００２８】
接着部２３は、接着部２４とともに本発明における第２の接着部となるものであって、図３（ｂ）及び図５に示すように、上シート１０と下シート２０との間において、配達票１０ｂに対向する領域にて、配達票１０ｂの剥離指示情報１４ｂによって示される剥離開始端の両側端辺に対向する端辺にそれぞれ並行して接着部２１の内側に接着部２１に沿って、接着部２２と繋がる部分から配達票１０ｂの剥離終了端となる角部までの途中まで幅Ｗ3を有して設けられており、メジウム層５０が積層された下シート２０上に、擬似接着エマルジョン糊を用いた６５ｄｐｉの５０％の網点スクリーン印刷が施されることによって設けられている。幅Ｗ3としては、例えば、３ｍｍが考えられる。また、接着部２３は、上シート１０と下シート２０との間において、領収証１０ａに対向する領域にも設けられている。領収証１０ａに対向する領域においては、接着部２３は、領収証１０ａの剥離指示情報１４ａによって示される剥離開始端の両側端辺に対向する端辺のうち、上シート１０及び下シート２０の短手方向の端辺に並行して接着部２１の内側に接着部２１に沿って、接着部２２と繋がる部分から領収証１０ａの剥離終了端となる角部までの途中まで幅Ｗ3を有して設けられている。
【００２９】
接着部２４は、図３（ｂ）及び図５に示すように、上シート１０と下シート２０との間において、配達票１０ｂに対向する領域にて、配達票１０ｂの剥離指示情報１４ｂによって示される剥離開始端の両側端辺に対向する端辺にそれぞれ並行して接着部２１の内側に接着部２１に沿って、接着部２３と繋がる部分から配達票１０の剥離終了端となる角部まで幅Ｗ4を有して設けられており、メジウム層５０が積層された下シート２０上に、擬似接着エマルジョン糊を用いた６５ｄｐｉの５０％の網点スクリーン印刷が施されることによって設けられている。幅Ｗ4としては、例えば、１ｍｍが考えられる。また、接着部２４は、上シート１０と下シート２０との間において、領収証１０ａに対向する領域にも設けられている。領収証１０ａに対向する領域においては、接着部２４は、領収証１０ａの剥離指示情報１４ａによって示される剥離開始端の両側端辺に対向する端辺のうち、上シート１０及び下シート２０の短手方向の端辺に並行して接着部２１の内側に接着部２１に沿って、接着部２３と繋がる部分から配達票１０ｂの剥離終了端となる角部まで幅Ｗ4を有して設けられている。
【００３０】
接着部２５は、接着部２６とともに本発明における第３の接着部となるものであって、図３（ｂ）及び図５に示すように、上シート１０と下シート２０との間において、領収証１０ａに対向する領域にて、領収証１０ａの剥離指示情報１４ａによって示される剥離開始端の両側端辺に対向する端辺のうち、上シート１０及び下シート２０の長手方向の端辺に沿って、接着部２２と繋がる部分から領収証１０ａの剥離終了端となる角部までの途中まで幅Ｗ5を有して設けられており、メジウム層５０が積層された下シート２０上に、擬似接着エマルジョン糊を用いた６５ｄｐｉの５０％の網点スクリーン印刷が施されることによって設けられている。幅Ｗ5としては、例えば、５ｍｍが考えられる。
【００３１】
接着部２６は、図３（ｂ）及び図５に示すように、上シート１０と下シート２０との間において、領収証１０ａに対向する領域にて、領収証１０ａの剥離指示情報１４ａによって示される剥離開始端の両側端辺に対向する端辺のうち、上シート１０及び下シート２０の長手方向の端辺に沿って、接着部２５と繋がる部分から領収証１０ａの剥離終了端となる角部まで幅Ｗ6を有して設けられており、メジウム層５０が積層された下シート２０上に、擬似接着エマルジョン糊を用いた６５ｄｐｉの５０％の網点スクリーン印刷が施されることによって設けられている。幅Ｗ6としては、例えば、３ｍｍが考えられる。
【００３２】
このように、接着部２２，２５の幅は互いに等しく、接着部２３，２６の幅は互いに等しく、接着部２２，２５の幅は接着部２３，２６の幅よりも広く、接着部２３，２６の幅は接着部２４の幅よりも広くなっている。また、接着部２２〜２６における擬似接着エマルジョン糊の印刷濃度が互いに等しいことから、接着部２２，２５，２６における上シート１０と下シート２０との接着力が、接着部２３，２４における上シート１０と下シート２０との接着力よりも強くなっている。
【００３３】
また、配達票１０ｂに対向する領域においては、領収証１０ａ側の端辺に沿う領域に、接着部２１が設けられているとともに、その内側に接着部２３，２４が設けられているが、これに対して、領収証１０ａに対向する領域においては、配達票１０ａとは反対側の端辺に沿う領域に、接着部２１が設けられずに接着部２５，２６が配達票１０ａとは反対側の端辺に対向する領域まで達して設けられている。
【００３４】
接着部２７は、図３（ｂ）及び図５に示すように、上シート１０と下シート２０との間において、領収証１０ａ及び配達票１０ｂに対向する領域のそれぞれにて、接着部２２〜２６に取り囲まれて設けられている。接着部２７は、図４に示すように、水性エマルジョン接着剤が塗布された接着部２７ａが、接着剤が塗布されていない非接着部２７ｂ内に島状に設けられて構成されている。接着部２７ａは、長方形の形状を具備しており、領収証１０ａと配達票１０ｂとの並び方向に対して、長辺が第１の角度α1を有する方向に延び、かつ、第２の角度α2を有する方向に並んで構成されている。第１の角度α1としては、例えば４５度が考えられ、また、第２の角度α2としては、例えば、３０度が考えられる。なお、接着部２７ａの形状は長方形に限らず、三角形や楕円等であってもよく、さらにはストライプ状であってもよい。また、接着部２７は、水性エマルジョン接着剤が塗布された接着部内に、接着剤が塗布されていない非接着部が島状に設けられている構成としてもよい。それにより、上シート１０と下シート２０とは、接着部２７が設けられた領域においては、上シート１０と下シート２０とが接着された接着部と上シート１０と下シート２０とが接着されていない非接着部とがストライプ状または島状に混在していることとなる。接着部２７はこのように構成されることにより、上シート１０と下シート２０との接着力が接着部２２よりも弱いものとなっている。
【００３５】
接着部２８は、図３（ｂ）及び図５に示すように、上シート１０と下シート２０との間において、貼付票１０ｃに対向する領域のうち配達票１０ｂに沿う領域を除いた部分に、擬似接着エマルジョン糊を用いた６５ｄｐｉの５０％の網点スクリーン印刷が施されることによって設けられている。
【００３６】
なお、下シート２０の領収証１０ａ及び配達票１０ｂに対向する領域のうち、剥離指示情報１４ａ，１４ｂによって剥離開始端が示された角部においては、接着部２１〜２８が設けられておらず、上シート１０と下シート２０とが接着されていない非接着領域２９ａ，２９ｂとなっている。接着部２２は、非接着領域２９ｂに沿う領域にも設けられている。また、ジッパー部１３ｃは、非接着領域２９ｂに含まれるように形成されている。
【００３７】
上シート１０と下シート２０との互いの接着面が上記のように構成されていることで、上シート１０と下シート２０とは、上シート１０のニス層２０ａ，２０ｂが積層されている領域においては、剥離可能に接着され、ニス層２０ａ，２０ｂが積層されていない領域においては、剥離困難に接着されていることになる。なお、剥離困難とは、人間の手によって上シート１０と下シート２０とを剥離した場合に、上シート１０と下シート２０が裂かれたり厚み方向に分割されたりする程度に強接着されていることである。ただし、本形態における配送伝票１においては、上シート１０のニス層２０ａ，２０ｂが積層されていない領域は、上シート１０の長手方向両端部の幅狭の領域であるため、上シート１０と下シート２０との剥離が容易ではないものの、人間の手によって剥離することが可能である。また、領収証１０ａ及び配達票１０ｂの下シート２０との接着面に積層されたニス層２０ａが、剥離ニスがベタ印刷されることによって積層されているのに対して、貼付票１０ｃに積層されたニス層２０ｂが、剥離ニスが５０％の濃度の網点スクリーン印刷が施されることによって積層されているものであるため、貼付票１０ｃの下シート２０からの剥離力が、領収証１０ａや配達票１０ｂの下シート２０からの剥離力よりも重くなっている。
【００３８】
上記のように構成された配送伝票１においては、配達票１０ｂと下シート２０とを接着している接着部２１〜２４，２７のうち、主に接着力が強い接着部２２〜２４によって、配達票１０ｂの下シート２０からの不用意な剥離が回避されていることになるが、配送伝票１よりも一回り大きなシート体が断裁されることで配送伝票１が区画形成される場合、特に、幅が狭い接着部２３，２４が設けられた領域においては、断裁位置がずれると、断裁位置となる端辺には接着部が存在しないこととなり、配達票１０ｂがその端辺から不用意に剥離してしまう虞がある。ところが、本形態のように、配達票１０ｂに外周に沿って接着部２１が設けられることで接着部２３，２４が断裁位置から遠ざかっていることにより、断裁位置が多少ずれた場合でも、配達票１０ｂの端辺に接着部２３，２４が存在することになり、配達票１０ｂが下シート２０から不用意に剥離してしまうことを回避できる。
【００３９】
また、領収証１０ａにおいては、上記同様の効果に加えて、上シート１０及び下シート２０の長手方向端部に接着部２１が設けられていないものの、この領域に設けられた接着部２５，２６の幅が接着部２３，２４よりも広いことによって、断裁位置が多少ずれた場合でも、領収証１０ａが下シート２０から不用意に剥離してしまうことを回避できる。
【００４０】
以下に、上述した配送伝票１の使用方法及びその際の作用効果について説明する。
【００４１】
上述した配送伝票１を用いて配送物を配送する場合は、まず、領収証１０ａ、配達票１０ｂ及び貼付票１０ｃに設けられた配送情報表示領域１１ａ〜１１ｃのそれぞれに、配送物の配送先の住所や氏名等の配送情報を印字する必要がある。
【００４２】
図６は、図１に示した配送伝票１にプリンタにて配送情報が印字される際の作用を説明するための図である。
【００４３】
図１に示した配送伝票１に配送情報を印字する場合は、配送伝票１の長手方向の端辺にうち領収証１０ａ側の端辺が先端となってプリンタ内を搬送される。すなわち、下シート２０から剥離される領収証１０ａ及び配達票１０ｂのうち、剥離指示情報１４ａ，１４ｂによって指定される剥離開始端の両側端辺に対向する端辺の一方が上シート１０の長手方向における外周辺に重なる領収証１０ａの端辺が先端となってプリンタ内を搬送されることとなる。
【００４４】
すると、領収証１０ａに対向する領域においては、配達票１０ｂに対向する領域に対して、上シート１０及び下シート２０の長手方向端辺に沿う領域が、接着部２３，２４の代わりに接着部２５，２６が設けられており、それにより、接着力が弱い接着部２１が設けられず、かつ、接着力が強い接着部２５，２６が上シート１０及び下シート２０の長手方向端辺、すなわち、領収証１０ａの端辺に対向する領域まで延びているため、図６に示すように、プリンタ内の２つのローラ２ａ，２ｂに挟まれながら搬送されても、上シート１０及び下シート２０と剥離紙３０との大きさの違いによって配送伝票１の搬送方向先端側に段差が生じているものの、この段差にローラ２ａがひっかかって領収証１０ａが下シート２０から不用意に剥離してしまうことが回避される。
【００４５】
この効果は、領収証１０ａに対向する領域のうち、上シート１０及び下シート２０の長手方向における外周辺に重なる端辺に対向する領域に接着部２１が設けられず、接着部２１の代わりに、接着部２３，２４をその端辺に対向する領域まで達するように設けることでも得ることができるが、接着部２３，２４よりも幅が広い接着部２５，２６を設けることで、配送伝票１の搬送方向先端における上シート１０と下シート２０との接着力が強くなり、領収証１０ａがプリンタ内にて下シート２０から剥離されることがより確実に回避されることとなる。
【００４６】
領収証１０ａ、配達票１０ｂ及び貼付票１０ｃに設けられた配送情報表示領域１１ａ〜１１ｃのそれぞれに、配送物の配送先の住所や氏名等の配送情報が印字された配送伝票１は、剥離紙３０が剥離されて配送物に貼付され、配送伝票１が貼付された配送物が、配送情報表示領域１１ａ〜１１ｃに印字された配送情報に従って配送物の配送先に配送されていく。この際、貼付票１０ｃのうち上シート１０の長手方向一端の領域がニス層２０ｂが積層されずに上シート１０と下シート２０とが接着されていることで、貼付票１０ｃが領収証１０ａや配達票１０ｂと比べて下シート２０に強固に接着されているため、配送物の配送途中において、領収証１０ａ、配達票１０ｂ及び貼付票１０ｃの全てが下シート２０から不用意に剥離して配送物から脱落してしまうことが回避される。
【００４７】
配送伝票１が貼付された配送物が配送先に配送されると、配達票１０ｂに設けられた押印領域１２ｂに受領印が押下され、配送業者によって配達票１０ｂが下シート２０から剥離されることで配送伝票１から分離される。
【００４８】
図７は、図１に示した配送伝票１から配達票１０ｂを分離する際の作用を説明するための図である。
【００４９】
図７（ａ）に示すように、図１に示した配送伝票１の配達票１０ｂに設けられた押印領域１２ｂに受領印１６ｂが押下された後、配達票１０ｂの角部のうち剥離指示情報１４ｂが表示された角部を剥離開始端として配達票１０ｂが下シート２０から剥離されていく。配達票１０ｂは下シート２０との接着面に積層されたニス層２０ａによって下シート２０から剥離可能となっており、また、スリット１３ａ，１３ｂ及びジッパー部１３ｃによって領収証１０ａ及び貼付票１０ｃから分離可能となっているため、配達票１０ｂを下シート２０から剥離して配送伝票１から分離していくことができる。この際、配達票１０ｂの剥離指示情報１４ｂが表示された角部は、下シート２０と接着されていない非接着領域２９ｂとなっているため、配達票１０ｂを下シート２０からスムーズに剥離し始めることができ、また、配達票１０ｂの外周に沿う領域に接着力が弱い接着部２１が設けられていることによっても、配達票１０ｂを下シート２０からスムーズに剥離していくことができる。また、配達票１０ｂを下シート２０から剥離していく際、その配達票１０ｂに加わる力が、配達票１０ｂと貼付票１０ｃとの境界部分から配達票１０ｂの内側に向かうことになるが、配達票１０ｂの剥離指示情報１４ｂが表示された角部の近傍にはジッパー部１３ｃが設けられており、このジッパー部１３ｃが、上シート１０の短手方向に延びた辺部と配達票１０ｂ側に斜めに向かった辺部とからなる「へ」の字状のカット部とタイ部とから構成されているため、配達票１０ｂがジッパー部１３ｃの１つのカット部の端部から内側に裂けていっても隣接するカット部に繋がり、配達票１０ｂが破れてしまうことがない。
【００５０】
配達票１０ｂは、剥離指示情報１４ｂが表示された角部から、対向する角部に向かって剥離されていくが、上シート１０と下シート２０との間における配達票１０ｂに対向する領域には、水性エマルジョン接着剤が塗布された接着部２７ａが、接着剤が塗布されていない非接着部２７ｂ内に島状に設けられて構成された接着部２７が設けられているため、接着部２７が設けられた領域においては、配達票１０ｂを下シート２０から剥離する際に剥離部分に大きな応力が集中することがなくなり、配達票１０ｂが下シート２０から剥離した状態においてカールが生じることが抑制されることとなる。また、上シート１０と下シート２０との間における配達票１０ｂに対向する領域においては、剥離指示情報１４ｂによって示される剥離開始端の両側端辺に対向する端辺に並行して設けられた接着部２３，２４の幅が、剥離指示情報１４ｂによって示される剥離開始端の両側端辺に並行して設けられた接着部２２の幅よりも狭いことで、剥離指示情報１４ｂによって示される剥離開始端の両側端辺に対向する端辺に並行した領域における配達票１０ｂと下シート２０との接着力が、剥離指示情報１４ｂによって示される剥離開始端の両側端辺に並行した領域における配達票１０ｂと下シート２０との接着力よりも弱くなっているため、剥離指示情報１４ｂによって示される剥離開始端から配達票１０ｂを剥離していった際、配達票１０ｂが下シート２０から剥離される剥離部分にかかる負荷が小さくなっていき、配達票１０ｂが下シート２０から剥離した後にカールしにくくなる。さらに、剥離指示情報１４ｂによって示される剥離開始端の両側端辺に対向する端辺に並行する領域においては、剥離終了端側の接着層２４の幅が、接着部２２に繋がる接着層２３の幅よりも狭いことで、剥離終了端側の領域における配達票１０ｂと下シート２０との接着力が、接着部２２に繋がる領域における配達票１０ｂと下シート２０との接着力よりも弱くなっているため、剥離指示情報１４ｂによって示される剥離開始端から配達票１０ｂを剥離していった際、配達票１０ｂが下シート２０から剥離される剥離部分にかかる負荷が小さくなっていき、配達票１０ｂが下シート２０から剥離した後にカールしにくくなる。
【００５１】
また、本形態においては、配達票１０ｂと下シート２０とを接着している接着部２１〜２４，２７のうち、主に接着力が強い接着部２２〜２４によって、配達票１０ｂの下シート２０からの不用意な剥離が回避されていることになるが、この接着部２２〜２４の外側に、接着部２２〜２４よりも接着力が弱い接着部２１が配達票１０ｂの外周に沿って設けられているため、図７（ｂ）に示すように、例えば、剥離指示情報１４ｂが表示された角部に対向する角部等、剥離開始端の領域を問わずに配達票１０ｂを下シート２０からスムーズに剥離していくことができる。
【００５２】
このようにして配達票１０ｂが下シート２０から剥離され、図７（ｃ）に示すように、配送伝票１から配達票１０ｂが分離されることになるが、配達票１０ｂは、配送業者がその作業中に配送物から迅速に剥離する必要があるため、上述したように配達票１０ｂを下シート２０からスムーズに剥離できる構成とすることにより、運用上有効なものとすることができる。
【００５３】
下シート２０から剥離した配達票１０ｂは、裏面がその全面に剥離ニス層２０ａが表出したものとなるため、べたつくことがなく、さらに、上シート１０と下シート２０とが接着されたものに対して、その厚さが薄いものとなり、保管しやすくなる。
【００５４】
配送伝票１から配達票１０ｂが分離された後、配送物の配送先において、領収証１０ａが下シート２０から剥離される。
【００５５】
図８は、図１に示した配送伝票１から領収証１０ａを分離する際の作用を説明するための図である。
【００５６】
領収証１０ａは下シート２０との接着面に積層されたニス層２０ａによって、配達票１０ｂとは反対側の端辺に沿う領域以外が下シート２０から剥離可能となっているため、図８（ａ）に示すように、剥離指示情報１４ａが表示された角部から剥離していくことができる。この際、領収証１０ａにおいても、領収証１０ａの剥離指示情報１４ａが表示された角部は、下シート２０と接着されていない非接着領域２９ａとなっており、また、接着力が弱い接着部２１が、領収証１０ａの配達票１０ｂとは反対側の端辺に沿う領域を除いた外周に沿って設けられていることによって下シート２０からスムーズに剥離していくことができる。また、接着部２７ａが非接着部２７ｂ内に島状に設けられて構成された接着部２７によって、領収証１０ａが下シート２０から剥離した状態においてカールが生じることが抑制されることとなる。また、領収証１０ａに対向する領域においては、剥離指示情報１４ａによって示される剥離開始端の両側端辺に対向する端辺のうち上シート１０の長手方向の一端に並行して設けられた接着部２５の幅が、剥離指示情報１４ａによって示される剥離開始端の両側端辺に並行して設けられた接着部２２の幅と同等であることにより、接着部２５が設けられた領域においては、領収証１０ａが下シート２０から剥離されていく際にその剥離部分にかかる負荷が小さくなりにくいが、領収証１０ａを下シート２０からゆっくり剥離することで、カールしにくくすることができる。また、剥離指示情報１４ａによって示される剥離開始端の両側端辺に対向する端辺に並行する領域においては、剥離終了端側の接着層２４の幅が、接着部２２に繋がる接着層２３の幅よりも狭く、また、剥離終了端側の接着層２６の幅が、接着部２２に繋がる接着層２５の幅よりも狭いことで、剥離終了端側の領域における領収証１０ａと下シート２０との接着力が、接着部２２に繋がる領域における領収証１０ａと下シート２０との接着力よりも弱くなっているため、剥離指示情報１４ａによって示される剥離開始端から領収証１０ａを剥離していった際、領収証１０ａが下シート２０から剥離される剥離部分にかかる負荷が小さくなっていき、領収証１０ａが下シート２０から剥離した後にカールしにくくなる。
【００５７】
領収証１０ａの下シート２０からの剥離部分が、ニス層２０ａが積層されていない領域に達すると、ニス層２０ａが積層されていない領域は領収証１０ａと下シート２０とが剥離可能とはなっておらず、また、この領域には、接着力が弱い接着部２１ではなく、接着部２１よりも接着力が強い接着部２５，２６が設けられていることによっても、領収証１０ａと下シート２０とが剥離しにくくなっているが、ニス層２０ａが積層されていない領域が、領収証１０ａの配達票１０ｂとは反対側の端辺に沿う幅狭の部分であるため、人の手によって領収証１０ａを下シート２０から剥離することができる。
【００５８】
このようにして領収証１０ａが下シート２０から剥離され、図８（ｂ）に示すように、配送伝票１から領収証１０ａが分離されることになるが、領収証１０ａは、配送物の配送先にて配送物から迅速に剥離する必要がないため、上記のように、その一部に剥離しにくい領域が存在していたとしても、運用上差し支えない。
【００５９】
また、上記のようにして配達票１０ｂ及び領収証１０ａが配達伝票１から分離した状態においても、図８（ｂ）に示すように、貼付票１０ｃが配送物に貼付された状態となっているため、配送物の梱包物を廃棄する場合、貼付票１０ｃの配送情報表示領域１１ｃに印字された配送情報１５ｃが漏えいしてしまう虞がある。
【００６０】
そこで、貼付票１０ｃについても、下シート２０から剥離して配送伝票１から分離することが考えられる。領収証１０ａや配達票１０ｂの下シート２０との接着面に積層されたニス層２０ａが、剥離ニスがベタ印刷されることによって積層されているのに対して、貼付票１０ｃに積層されたニス層２０ｂが、剥離ニスが５０％の濃度の網点スクリーン印刷が施されることによって積層されているものであることにより、貼付票１０ｃの下シート２０からの剥離力が、領収証１０ａや配達票１０ｂの下シート２０からの剥離力よりも重くなっているものの、貼付票１０を下シート２０から剥離することができる。なお、貼付票１０ｃのうち上シート１０の長手方向一端の領域は、配送物の配送途中において、貼付票１０ｃが下シート２０から不用意に剥離して配送物から脱落してしまうことを回避するためにニス層２０ｂが積層されていないが、ニス層２０ｂが積層されていない領域が、貼付票１０ｃの配達票１０ｂとは反対側の端辺に沿う幅狭の部分であるため、人間の手によって貼付票１０ｃを下シート２０から剥離することができる。
【００６１】
なお、本形態においては、下シート２０の領収証１０ａ及び配達票１０ｂに対向する領域のうち、剥離指示情報１４ａ，１４ｂによって剥離開始端が示された角部においては、接着部２１〜２８が設けられておらず、上シート１０と下シート２０とが接着されていない非接着領域２９ａ，２９ｂとなっているが、非接着領域２９ａ，２９ｂはなくてもよい。すなわち、本形態においては、接着部２１が、配達票１０ｂに対向する領域にて配達票１０ｂの外周に沿う部分のうち非接着領域２０ｂが設けられている領域には存在していないが、本発明では、その形態も含めて、配達票１０ｂの外周に沿って接着部２１が設けられていると定義する。また、領収証１０ａにおいては、接着部２１が、領収証１０ａの外周に沿う部分のうち、上シート１０及び下シート２０の端辺に沿う領域と非接着領域２０ａが設けられている領域には存在していないが、本発明では、その形態も含めて、領収証１０ａの外周に沿う部分のうち、上シート１０及び下シート２０の端辺に沿う領域以外の領域に設けられていると定義する。
【００６２】
また、本形態においては、接着部２５，２６の幅が接着部２３，２４の幅よりも広く、接着部２３〜２６における擬似接着エマルジョン糊の印刷濃度が互いに等しいことで、接着部２５，２６における上シート１０と下シート２０との接着力が、接着部２３，２４における上シート１０と下シート２０との接着力よりも強くなっているが、接着部２５，２６における擬似接着エマルジョン糊の印刷濃度を、接着部２３，２４における印刷濃度よりも濃くすることで、接着部２５，２６における上シート１０と下シート２０との接着力が、接着部２３，２４における上シート１０と下シート２０との接着力よりも強くしてもよい。
【００６３】
また、ニス層２０ａ，２０ｂを下シート２０の上シート１０との接着面に積層し、メジウム層５０及び接着部２１〜２８を上シート１０の下シート２０との接着面に設けてもよい。ただし、上述したように、ニス層２０ａ，２０ｂを上シート１０の下シート２０との接着面に積層し、メジウム層５０及び接着部２１〜２８を下シート２０の上シート１０との接着面に設けた方が、領収証１０ａや配達票１０ｂを下シート２０から剥離した際、剥離面がべたつくことがない。
【００６４】
また、本形態においては、領収証１０ａが、その一端辺が上シート１０の領収証１０ａ及び配達票１０ｂの並び方向における外周辺に重なることで、本発明における端部剥離領域となっているが、貼付票１０ｃを配達票１０ｂと同様に剥離領域として下シート２０から剥離可能な構成としたり、他の剥離領域を、領収証１０ａ及び配達票１０ｂの並び方向にて配達票１０ｂ側に並べたりする構成であってもよく、その場合でも、領収証１０ａが、複数の剥離領域のうち、その一端辺が上シート１０の複数の剥離領域の並び方向における外周辺に重なる端部剥離領域となる。
【符号の説明】
【００６５】
１    配送伝票
２ａ，２ｂ    ローラ
１０    上シート
１０ａ    領収証
１０ｂ    配達票
１０ｃ    貼付票
１１ａ〜１１ｃ    配送情報表示領域
１２ｂ    押印領域
１３ａ，１３ｂ    スリット
１３ｃ    ジッパー部
１４ａ，１４ｂ    剥離指示情報
１５ａ〜１５ｃ    配送情報
１６ｂ    受領印
２０    下シート
２０ａ，２０ｂ    ニス層
２１〜２８，２７ａ    接着部
２７ｂ    非接着部
２９ａ，２９ｂ    非接着領域
３０    剥離紙
４０    粘着層
５０    メジウム層
【図１】
0006620053.tif 000002
【図２】
0006620053.tif 000003
【図３】
0006620053.tif 000004
【図４】
0006620053.tif 000005
【図５】
0006620053.tif 000006
【図６】
0006620053.tif 000007
【図７】
0006620053.tif 000008
【図８】
0006620053.tif 000009